(57)【特許請求の範囲】
【請求項１】
回路基板の回路を、電線を介して外部回路に接続するために前記回路基板に取付けられる基板用コネクタと、この基板用コネクタが取付けられた回路基板を収納するための基板ケースとを含む電子ユニット構成用モジュールであって、
前記基板用コネクタは、前記電線の末端に装着される電線側端子および前記回路基板に形成される導電路にそれぞれ接続可能な形状を有する複数の端子金具と、前記電線側端子を直接挿入可能な形状を有する複数の端子収容用凹部を有しかつこれら端子収納用凹部に挿入される前記電線側端子と接続可能となるように前記各端子金具を保持するハウジングとを含み、このハウジングの前記各端子収納用凹部の内部に前記電線側端子を係止するための第１係止部をそれぞれ備えており、
前記基板ケースは、前記基板用コネクタが特定位置に配置される状態で前記回路基板を収納可能な形状を有するケース本体部と、このケース本体部に収納された前記回路基板に取付けられている前記基板用コネクタのハウジングに装着可能に形成され、前記端子収納用凹部に挿入されて前記第１係止部により係止されている前記電線側端子をさらに係止する第２係止部とを有し、これらケース本体部と第２係止部とが一体に形成されたものであることを特徴とする電子ユニット構成用モジュール。
【請求項２】
請求項１に記載の電子ユニット構成用モジュールにおいて、
前記基板ケースは、前記ケース本体部と前記第２係止部とを連結する連結部とを有し、これらケース本体部、第２係止部及び連結部が一体に形成されており、
前記連結部は、前記第２係止部により前記電線側端子が係止されるように前記ケース本体部に対する前記第２係止部の相対変位を許容する形状を有していることを特徴とする電子ユニット構成用モジュール。
【請求項３】
請求項２に記載の電子ユニット構成用モジュールにおいて、
前記ケース本体部は、開口部を有し前記基板用コネクタのハウジングを前記開口部から突出させた状態で前記回路基板を収納するように形成されており、
前記第２係止部は、前記開口部から突出した前記ハウジングに対向する位置に配置されるように前記ケース本体部に連結されていることを特徴とする電子ユニット構成用モジュール。
【請求項４】
請求項１に記載の電子ユニット構成用モジュールにおいて、
前記基板ケースは、前記回路基板の厚み方向に互いに合体することにより当該回路基板を収納する第１ケース構成部材および第２ケース構成部材を有しており、
前記第２係止部は、前記第１ケース構成部材に一体に形成され、前記回路基板が固定された第２ケース構成部材に対して第１ケース構成部材が合体されることによりこの合体に伴い前記基板用コネクタのハウジングに装着されるように形成されていることを特徴とする電子ユニット構成用モジュール。
【請求項５】
請求項１に記載の電子ユニット構成用モジュールにおいて、
前記第１係止部は、前記端子収容用凹部への前記電線側端子の挿入に伴い当該挿入方向と直交する方向に撓み変位することにより当該端子収納用凹部への前記電線側端子の挿入を許容しかつ当該電線側端子が端子金具に接続される所定位置まで挿入されると当該電線側端子と係合することにより前記端子金具側とは反対側への電線側端子の変位を規制するように前記ハウジングに形成された撓み片からなり、
前記第２係止部は、前記ハウジングの端子収納用凹部に対して前記電線側端子が前記所定位置まで挿入された状態で当該電線側端子を前記端子金具とは反対側から拘束するように形成されていることを特徴とする電子ユニット構成用モジュール。
【請求項６】
回路基板と、この回路基板の回路を外部回路に接続するために当該回路基板に取付けられる基板用コネクタと、前記回路基板を収容する基板ケースとを備えた電子ユニットであって、
前記基板用コネクタ及び基板ケースとして、請求項１乃至５の何れか一項に記載の電子ユニット構成用モジュールを含むことを特徴とする電子ユニット。
【発明の詳細な説明】
【技術分野】
【０００１】
本発明は、自動車に搭載されるＥＣＵ等、ケース内に回路基板が収容された状態でこの回路基板の回路がワイヤハーネスを介して他の回路基板の回路に接続される電子ユニットに適した電子ユニット構成用モジュール及びこのモジュールを用いた電子ユニットに関する。
【背景技術】
【０００２】
回路基板を内蔵する電子ユニットには、車両に搭載されるＥＣＵのように、専用のケースに収容された状態で所定の場所に設置されるものがある。ＥＣＵと他の電装品との電気的な接続は、多くの場合、特許文献１の図１に記載されるような基板用コネクタと電線側コネクタとの組合せにより達成される。具体的には、基板用コネクタは、例えば特許文献２に記載されるように、回路基板上の回路に接続される端子金具と、この端子金具を保持するハウジングとを備えている。一方、電線側コネクタは、ワイヤハーネス等に含まれる電線の端末にそれぞれ装着される複数の電線側端子と、これらの電線側端子を保持するハウジングとを備えている。そして、電線側コネクタのハウジングと基板用コネクタのハウジングとの嵌合を伴いながら、各電線側端子がそれぞれに対応する基板用コネクタの端子金具と嵌合されることにより、当該各電線側端子が装着されている電線と当該端子金具が接続されている回路基板側の回路とが電気的に接続される。
【０００３】
なお、基板側コネクタのハウジングは、各電線側端子が挿入される複数の端子収容室を有しており、これら各端子収容室に設けられる係止部を電線側端子に係合させることによって各電線側端子を当該ハウジングに係止するように構成されるのが一般的であるが、電線荷重によりハウジングから電線側端子が脱落する、いわゆる後抜けをより確実に防止すべく、最近では特許文献３の図７に記載されるように、電線側コネクタのハウジングに二次係止用のリテーナ等の樹脂製の端子係止具を付加的に装着して電線側端子をハウジングに対して多重に係止するものが多用されている。
【先行技術文献】
【特許文献】
【０００４】
【特許文献１】特開２００３−３０４０８３号公報
【特許文献２】特開２００７−５３００８号公報
【特許文献３】実開平５−２３４４０号公報
【発明の概要】
【発明が解決しようとする課題】
【０００５】
ＥＣＵ等の電子ユニットやこれら電子ユニット同士を接続する接続構造においては、その性能を維持しつつ合理的に部品数の削減を図り、製造コストの低廉化を図ることが望ましい。
【０００６】
しかし、上記従来のＥＣＵ等の構成では、電線側及び基板側の両ハウジングの係止部（ロック部）同士を係合させることにより電気的な接続状態を維持するとともに、当該ハウジングにより端子同士の接続部分を絶縁するため、これらのハウジングを省略することは難しい。また、電線側コネクタのハウジングに端子係止具を付加的に装着して電線側端子をハウジングに対して多重に係止する構成では、多くの場合、電線側端子の挿入を許容する仮装着位置と電線側端子を係止する本装着位置とに変位可能な状態で端子係止具をハウジングに装着する必要があるため、例えば電線側コネクタのハウジング自体に端子係止具を一体に形成することにより端子係止具を省略するということも困難である。
【０００７】
本発明は、上記の事情に鑑みて成されたものであり、ＥＣＵ等の電子ユニットと他の電装品との電気的な接続を適切に達成する一方で、部品数の削減を図って当該電気的接続構造の低廉化を図ることを目的とする。
【課題を解決するための手段】
【０００８】
上記課題を解決するための本発明にかかる電子ユニット構成用モジュールは、回路基板の回路を、電線を介して外部回路に接続するために前記回路基板に取付けられる基板用コネクタと、この基板用コネクタが取付けられた回路基板を収納するための基板ケースとを含む電子ユニット構成用モジュールであって、前記基板用コネクタは、前記電線の末端に装着される電線側端子および前記回路基板に形成される導電路にそれぞれ接続可能な形状を有する複数の端子金具と、前記電線側端子を直接挿入可能な形状を有する複数の端子収容用凹部を有しかつこれら端子収納用凹部に挿入される前記電線側端子と接続可能となるように前記各端子金具を保持するハウジングとを含み、このハウジングの前記各端子収納用凹部の内部に前記電線側端子を係止するための第１係止部をそれぞれ備えており、前記基板ケースは、前記基板用コネクタが特定位置に配置される状態で前記回路基板を収納可能な形状を有するケース本体部と、このケース本体部に収納された前記回路基板に取付けられている前記基板用コネクタのハウジングに装着可能に形成され、前記端子収納用凹部に挿入されて前記第１係止部により係止されている前記電線側端子をさらに係止する第２係止部とを有し、これらケース本体部と第２係止部とが一体に形成されているものである。
【０００９】
そして、本発明に係る電子ユニットは、回路基板と、この回路基板の回路を外部回路に接続するために当該回路基板に取付けられる基板用コネクタと、前記回路基板を収容する基板ケースとを備えた電子ユニットであって、前記基板用コネクタ及び基板ケースとして、上記のような電子ユニット構成用モジュールを含むものである。
【００１０】
このような電子ユニット構成用モジュール及び電子ユニットの構成では、回路基板に固定された基板用コネクタのハウジングに対して電線の端末に装着された電線側端子が直接挿入されることにより端子接続部分の絶縁が保たれつつ当該電線が回路基板の回路に電気的に接続されるとともに、端子収納用凹部内の第１係止部が電線側端子を係止（一次係止）することによりこの接続状態が維持される。また、基板ケースのケース本体部に回路基板が収納された状態で、第２係止部が、前記ハウジングの端子収納用凹部に挿入されて第１係止部により一次係止されている電線側端子をさらに係止（二次係止）することにより、当該電線側端子が多重に係止される。
【００１１】
この構成によれば、電線側端子を受け入れる端子収納用凹部及び当該電線側端子を係止する第１係止部を備えた基板用コネクタのハウジングが電線側ハウジング（従来の電線側コネクタのハウジング）の機能を兼ね備えるため、電線側端子を保持するための専用の電線側ハウジングが不要となる。また、電線側端子を二次係止するための第２係止部が基板ケース側に設けられ、この第２係止部とケース本体部とが一体に形成されることにより、基板ケースが従来の端子係止具の機能を兼ね備える。従って、電線側端子がそれ専用の電線側ハウジングにより保持された状態でこの電線側ハウジングと基板用コネクタのハウジングとの嵌合により接続状態が維持され、また電線側ハウジングに独立した端子係止具が装着される従来の構造と比較すると、部品数を減らして電子ユニット（回路基板）と他の電装品との接続をより安価な構成で達成することが可能となる。
【００１２】
より具体的な構成として、前記基板ケースは、前記ケース本体部と前記第２係止部とを連結する連結部とを有し、これらケース本体部、第２係止部及び連結部が一体に形成されており、前記連結部は、前記第２係止部により前記電線側端子が係止されるように前記ケース本体部に対する前記第２係止部の相対変位を許容する形状を有している。
【００１３】
この構成によれば、ケース本体部に回路基板が収納された状態で基板用コネクタと基板ケースとの間に多少の位置ずれがある場合でも、ケース本体部に対する第２係止部の相対変位が許容されることで、第２係止部による電線側端子の係止が支障無く行われる。
【００１４】
この場合、前記ケース本体部は、開口部を有し前記基板用コネクタのハウジングを前記開口部から突出させた状態で前記回路基板を収納するように形成されており、前記第２係止部は、前記開口部から突出した前記ハウジングに対向する位置に配置されるように前記ケース本体部に連結されているのが好適である。
【００１５】
この構成によれば、ケース本体部に回路基板を収納しさえすれば第２係止部が基板用コネクタのハウジングに対向する位置に配置されるため、ハウジングに対する第２係止部の装着を容易に行うことが可能となる。しかも、このような作業をケース本体部の外側で行うことができるためより作業性が良いものとなる。
【００１６】
なお、上記のような構成以外に、前記基板ケースは、前記回路基板の厚み方向に互いに合体することにより当該回路基板を収納する第１ケース構成部材および第２ケース構成部材を有しており、前記第２係止部は、前記第１ケース構成部材に一体に形成され、前記回路基板が固定された第２ケース構成部材に対して第１ケース構成部材が合体されることによりこの合体に伴い前記基板用コネクタのハウジングに装着されるように形成されているものでもよい。
【００１７】
この構成によれば、回路基板を固定した第２ケース側構成部材に対して第１ケース構成部材を合体させれば、特別な作業を行わなくてもこの合体に伴い第２係止部が基板用コネクタのハウジングに装着される。そのため、電子ユニットの組立性が向上する。
【００１８】
なお、上記第１係止部及び第２係止部は、例えば次のような構成のものを適用することにより端子収納用凹部への電線側端子の挿入を許容しつつ当該電線側端子を良好に二重係止することができる。すなわち、前記第１係止部は、前記端子収容用凹部への前記電線側端子の挿入に伴い当該挿入方向と直交する方向に撓み変位することにより当該端子収納用凹部への前記電線側端子の挿入を許容しかつ当該電線側端子が端子金具に接続される所定位置まで挿入されると当該電線側端子と係合することにより前記端子金具側とは反対側への電線側端子の変位を規制するように前記ハウジングに形成された撓み片からなり、
前記第２係止部は、前記ハウジングの端子収納用凹部に対して前記電線側端子が前記所定位置まで挿入された状態で当該電線側端子を前記端子金具とは反対側から拘束するように形成されている。
【００１９】
この構成では、基板用コネクタのハウジング（端子収納用凹部内）に電線側端子が挿入される時に第１係止部が当該電線側端子を一次係止し、このように電線側端子が一次形成されているハウジングに対して基板ケースの第２係止部が装着されることにより当該第２係止部が電線側端子を二次係止する。
【発明の効果】
【００２０】
本発明の電子ユニット構成用モジュール及びこのモジュールを用いた本発明の電子ユニットによれば、従来のような電線側端子を保持するハウジング（電線側ハウジング）が不要となり、また、電線側端子を二次係止する第２係止部が基板ケース側に一体に形成されているため従来のような独立した端子係止具が不要となる。従って、ＥＣＵ等の電子ユニットと他の電装品との電気的な接続を適切に達成する一方で、部品数の削減を図って当該電気的接続構造の低廉化を図ることが可能となる。
【図面の簡単な説明】
【００２１】
【図１】本発明に係る電子ユニットであるＥＣＵが適用されたワイヤハーネスを示す模式図である。
【図２】ＥＣＵ（本発明に係る電子ユニット構成用モジュールが適用された電子ユニット）を示す斜視図である。
【図３】ＥＣＵの分解斜視図である。
【図４】ＥＣＵの回路基板に実装された基板用コネクタ及びこの基板用コネクタに挿着される電線側端子（雌型端子）を示す縦断面図である。
【図５】基板用コネクタに電線側端子が挿入された状態（一次係止のみの状態）を示すＥＣＵの要部縦断面図である。
【図６】基板用コネクタに電線側端子が挿入された状態（一次及び二次係止状態）を示すＥＣＵの要部縦断面図である。
【発明を実施するための形態】
【００２２】
以下、添付図面を参照しながら本発明の好ましい実施の一形態について詳述する。
【００２３】
図１はワイヤハーネスの一例を示す平面模式図である。同図に示すワイヤハーネス１は、本発明に係る電子ユニットである車載用のＥＣＵ１０（電子制御ユニット）とこれを他の電装品に接続するための複数本の電線２とを含む。
【００２４】
各電線２は被覆電線からなり前記ＥＣＵ１０に対してその一端側がそれぞれ接続されている。各電線２の他端側は、同図に示すように接続先となる電装品毎に束ねられており、この電線群の端末に外部接続用のコネクタが設けられている。図示の例では、各電線２はその他端側が３つの電線群に束ねられ、これら３つの電線群の端末にコネクタＣ１〜Ｃ３がそれぞれ設けられている。つまり、車両の特定位置にＥＣＵ１０が設置され、前記電線群が所定経路に沿って配索された上で前記コネクタＣ１〜Ｃ３がそれぞれ電装品側のコネクタに結合されることにより、ＥＣＵ１０に含まれる後記回路基板１２の回路と当該電装品の回路とが電線２を経由して電気的に接続されるようになっている。
【００２５】
なお、本発明に係る「電子ユニット」は、前記の車載用ＥＣＵ１０に限定されるものではなく、所定の電子回路を保有するユニットを広く包含する。
【００２６】
図２及び図３は前記ＥＣＵ１０を示しており、図２は、ＥＣＵ１０の全体像（組立状態）を斜視図で、図３は、ＥＣＵ１０を分解斜視図でそれぞれ示している。
【００２７】
これらの図に示すように、ＥＣＵ１０は、回路基板１２と、この回路基板１２が格納される略直方体状の基板ケース３０（以下、ケース３０と略す）とを有している。なお、この例では、このケース３０と回路基板１２に固定される後記基板用コネクタ１１とが本発明に係る電子ユニット構成用モジュールに相当する。
【００２８】
ケース３０は、回路基板１２を収容するためのケース本体部３１と、この回路基板１２に固定される後記基板用コネクタ１１に装着可能なリテーナ部３２（本発明に係る第２係止部）と、これらケース本体部３１とリテーナ部３２とを連結する連結部３３とを有しており、これらケース本体部３１、リテーナ部３２及び連結部３３が合成樹脂材料により一体に形成されている。なお、ケース本体部３１は、後述するように上下一対のケース構成部材３１ａ，３１ｂから構成されており、厳密にはケース本体部３１の上部ケース構成部材３１ａとリテーナ部３２と連結部３３とが一体に形成されている。
【００２９】
ケース本体部３１は、格納される回路基板１２の厚み方向（以下、この方向を上下方向という）に扁平でかつ一側方に開口する開口部３０ａを具備した箱形をなし、回路基板１２に固定される後記基板用コネクタ１１が開口部３０ａに配置される状態で当該回路基板１２を収容可能な形状を有している。前記リテーナ部３２は、上記のようにケース本体部３１に収納された回路基板１２の後記基板用コネクタ１１のハウジング２０に嵌合可能な形状を有しており、このハウジング２０に嵌合されることにより基板用コネクタ１１に挿入される後記電線側端子３を係止する。なお、このリテーナ部３２の構成については後に詳述する。
【００３０】
ケース３０は、上下方向に分離可能な上部ケース構成部材３１ａ及び下部ケース構成部材３１ｂからなる。これらケース構成部材３１ａ，３１ｂのうち上部ケース構成部材３１ａ側には前記リテーナ部３２および連結部３３が一体に形成されている。
【００３１】
上部ケース構成部材３１ａは、略正方形の天板を含みこの天板の周囲三方に側壁を一体に備えた形状を有している。他方、下部ケース構成部材３１ｂは上部ケース構成部材３１ａの前記天板よりも一回り小さい略正方形の底板を含みこの底板の周囲三方に側壁を一体に備えた形状を有している。そして、下部ケース構成部材３１ｂの側壁に上部ケース構成部材３１ａの側壁が外嵌するように両ケース構成部材３１ａ，３１ｂが上下に重ね合わされることにより開口部３０ａを備えた上記ケース３０が構成されている。
【００３２】
なお、上部ケース構成部材３１ａの側壁のうち互いに対向する一対の側壁には係止用窓部３４が、下部ケース構成部材３１ｂの側壁のうち互いに対向する一対の側壁の外側面には係止突部３６がそれぞれ形成されており、上記のように両ケース構成部材３１ａ，３１ｂを嵌合（合体）させると、係止用窓部３４に係止突部３６が挿入されて両ケース構成部材３１ａ，３１ｂが互いに係合し、これにより両ケース構成部材３１ａ，３１ｂが一体化される。
【００３３】
前記回路基板１２は、略正方形のプリント基板からなり当該基板上に形成される導電路及び実装部品により構成される所定の電子回路を有している。この回路基板１２には、その一辺に沿った端部位置に、前記電子回路を外部回路、すなわち他の電装品の回路に接続するための基板用コネクタ１１が取付けられている。
【００３４】
回路基板１２は、ケース内底面（下部ケース構成部材３１ｂの底板）に形成されるボス等の位置決め部により位置決めされることにより、図２に示すように、基板用コネクタ１１がケース３０の開口部３０ａの位置（本発明の特定位置に相当する）に配置されかつ外部に突出する状態でケース３０内に収納され、ビス等の固定手段によりこのケース３０に固定されている。
【００３５】
基板用コネクタ１１は、図３及び図４に示すように、合成樹脂製のハウジング２０と、これに保持される複数の端子金具２４とを有している。
【００３６】
ハウジング２０は、回路基板１２の一辺に沿って延びる略直方体状の形状を有している。このハウジング２０は、ハウジング長手方向（以下、幅方向と称す）と直交する方向であってかつ回路基板１２の面と平行な方向（以下、前後方向と称す）に延びてそれぞれハウジング前方（図４では左方）に向かって開く複数の端子収納用凹部２２を備えている。
【００３７】
これらの端子収納用凹部２２は、ハウジング２０の幅方向に一列に並んだ状態で上下二列に設けられており、それぞれ前記電線２の一端側の端末に固定される後記電線側端子３をその軸方向に沿って挿入可能な形状を有している。
【００３８】
前記各端子金具２４は、軸状をなす雄型端子であり、それぞれ一端側が端子収納用凹部２２内に挿入された状態でハウジング２０により保持されている。詳しくは、各端子金具２４は、回路基板１２の表面に沿って略平行に延びる水平部分と回路基板１２の表面に対して直交する方向に延びる垂直部分とを備えたＬ字型の形状を有しており、前記水平部分の先端がハウジング２０の後部隔壁２３を貫通して前記端子収納用凹部２２内に挿入された状態で当該後部隔壁２３により保持されている。これにより端子金具２４の前記水平部分のうち端子収納用凹部２２の内部に挿入された部分により後記電線側端子３に対するタブ状の端子接続部２４ａ（以下、タブ状接続部２４ａと称す）が構成される一方、前記垂直部分により回路基板１２に対する基板接続部２４ｂが構成されている。
【００３９】
前記ハウジング２０は、図４に示すように、各端子金具２４の基板接続部２４ｂを回路基板１２に形成されるスルーホール１４に挿入させた状態で当該回路基板１２上に固定されている。そして、スルーホール１４の周囲に形成される導電部に対して各端子金具２４がハンダ付け等されることにより、ハウジング２０が当該回路基板１２に対して固定されるとともに、各端子金具２４が回路基板１２の電子回路に対して電気的に接続されている。なお、回路基板１２に対するハウジング２０の固定は接着剤やねじ止め等の固定手段によりなされるものでもよい。
【００４０】
前記ハウジング２０ａには、端子収納用凹部２２に挿入される電線側端子３を係止（一次係止）するための係止ランス２５（本発明の第１係止部に相当する）が設けられている。この係止ランス２５は、各端子収納用凹部２２の天井部に設けられた上下方向に撓み変位可能な撓み片からなり、端子収納用凹部２２への電線側端子３の挿入に伴い上方に変位することによって端子収納用凹部２２への電線側端子３の挿入を許容し、電線側端子３が端子収納用凹部２２の奥端部まで挿入されると当該電線側端子３に係合して逆方向、つまり端子金具２４側とは反対側（図４では左側）への電線側端子３の変位を規制する。
【００４１】
前記ハウジング２０には、さらにその前端と前記係止ランス２５との間の位置に、上向きに開いて幅方向（端子収納用凹部２２の並び方向）に延びる溝部２１が形成されており、前記ケース３０のリテーナ部３２がこの溝部２１に装着（嵌合）される。
【００４２】
ここで、ケース３０の前記リテーナ部３２は、当例では前記端子収納用凹部２２の一部を構成するように形成されている。詳しくは、リテーナ部３２は、前記ケース３０の開口部３０ａに沿って幅方向に延び、前記溝部２１に嵌合可能な直方体形状を有している。このリテーナ部３２は、前記端子収納用凹部２２の断面形状と略同一形状の断面を有しかつ端子収納用凹部２２と同ピッチで幅方向に一列に並で前後方向に貫通する複数の貫通孔３７を備えており、図４に示すように、前記ハウジング２０にリテーナ部３２が装着された状態（後記の仮装着状態）で、上下二段の各端子収納用凹部２２のうち上段の端子収納用凹部２２の略中間部をこれらの貫通孔３７で構成するとともに下段の各端子収納用凹部２２のうち略中間部の天井部分をリテーナ部３２の底部で構成する。
【００４３】
このリテーナ部３２は、ハウジング２０に対して一定寸法だけ上下方向（各段の端子収納用凹部２２の並び方向と直交する方向）に変位可能な状態で当該ハウジング２０に装着されている。具体的には、リテーナ部３２は、ハウジング２０の端子収納用凹部２２とリテーナ部３２の貫通孔３７とが前後方向に連続して各端子収納用凹部２２への後記電線側端子３の挿入を許容する仮装着位置と（図４に示す位置）、この位置から下方に変位した本装着位置（図６に示す位置）とに変位可能に設けられており、この本装着位置に配置されることにより、後述するように上下各段の各端子収納用凹部２２に挿入されている電線側端子３を後側から拘束する。
【００４４】
このＥＣＵ１０の組立は次の手順に基づいて行われる。まず、ケース３０を上下のケース構成部材３１ａ，３１ｂに分離した状態で、回路基板１２を下部ケース構成部材３１ｂにビス等の固定手段により固定する。次いで、回路基板１２の上から下部ケース構成部材３１ｂを被せ、これを下部ケース構成部材３１ｂに合体させることにより回路基板１２をケース３０（ケース本体部３１）に収納し、その後、ケース３０の前記リテーナ部３２を回路基板１２の前記ハウジング２０の溝部２１に装着して仮装着位置にセットする。
【００４５】
なお、ケース３０の前記ケース本体部３１は、前記基板用コネクタ１１のハウジング２０のうち少なくとも溝部２１の部分が外部に露出するように基板用コネクタ１１を開口部３０ａから突出させた状態で回路基板１２を収納するように形成されており、また、リテーナ部３２は、この溝部２１に対向する位置に配置されるようにケース本体部３１に対して連結されている。つまり、下部ケース構成部材３１ｂに回路基板１２を固定しかつこの下部ケース構成部材３１ｂに上部ケース構成部材３１ａを合体させれば、前記ハウジング２０の溝部２１がケース本体部３１から外部に露出した状態となり、この外部露出した溝部２１に対向する位置にリテーナ部３２が配置される。従って、ＥＣＵ１０の上記組立作業では、前記ハウジング２０に対するリテーナ部３２の装着をケース本体部３１の外側で容易に行うことができる。特に、ケース本体部３１とリテーナ部３２とを連結する連結部３３は、ケース本体部３１に対するリテーナ部３２の相対変位を許容するように弾性変形可能に形成されており、従って、ケース３０と基板用コネクタ１１との間に多少の位置ずれがある場合でも、この連結部３３が弾性変形することにより、リテーナ部３２を支障なくハウジング２０に装着（嵌合）させることができる。
【００４６】
このように構成されたＥＣＵ１０に対して前記電線２が接続されている。以下、ＥＣＵ１０に対する電線２の接続構造について説明する。
【００４７】
各電線２の前記一端側の端部には、基板用コネクタ１１の前記端子金具２４に嵌合可能な形状を有する図４に示すような電線側端子３が固定されている。この電線側端子３は、上下に撓み変位可能な接触用撓み片４ａを内部に具備した箱型の端子接続部４を先端に備える雌型端子であり、基板用コネクタ１１の前記タブ状接続部２４ａがその先端側から前記端子接続部４に挿入されて前記接触用撓み片４ａに接触することにより端子金具２４に対して電気的に接続されるように形成されている。
【００４８】
各電線２は、電線側端子３が基板用コネクタ１１のハウジング２０に直接挿着されることによりこの基板用コネクタ１１を介してＥＣＵ１０（回路基板１２）に接続されている。
【００４９】
電線側端子３は、従来のように専用のハウジングに保持されることなく、次の手順に従って基板用コネクタ１１に直接挿着されて回路基板１２側の回路に接続され、かつ確実に保持される。まず、図４に示すように、仮装着位置に前記リテーナ部３２がセットされている状態で、電線側端子３をその軸方向に沿って端子収納用凹部２２に挿入する。このように電線側端子３を端子収納用凹部２２の奥端部まで押し込むと、図５に示すように、端子金具２４のタブ状接続部２４ａが電線側端子３の端子接続部４に挿入されて接触用撓み片４ａに接触し、これにより電線側端子３及び端子金具２４を介して前記電線２が回路基板１２に電気的に接続される。また、前記係止ランス２５の先端が電線側端子３の前記端子接続部４に設けられる係止窓４ｂに突入することによって当該電線側端子３に係合し、これにより電線側端子３が基板用コネクタ１１のハウジング２０内に直接係止される。
【００５０】
次に、ハウジング２０に対してケース３０の前記リテーナ部３２を上側から押し込み、これにより当該リテーナ部３２を本装着位置に変位させる。このようにリテーナ部３２を本装着位置に変位させると、図６に示すように、リテーナ部３２の後端部、詳しくは前記貫通孔３７の上下の後端縁部３６ａ，３６ｂがそれぞれ電線側端子３の端子接続部４の後側（同図では左側）の位置にスライドし、これによって電線側端子３がリテーナ部３２により後側から拘束される。つまり、各端子収納用凹部２２に挿入された電線側端子３は、上記のように端子収納用凹部２２内に設けられる係止ランス２５によりハウジング２０からの引き抜きを阻止する方向に係止されるとともに（一次係止と称す）、リテーナ部３２よって同様に引き抜き方向に対向する方向に係止され（二次係止と称す）、その結果、基板用コネクタ１１のハウジング２０内で電線側端子３の一次係止と二次係止とが共に行われる。
【００５１】
以上のようなワイヤハーネス１の構成によれば、電線２の端末に装着された電線側端子３が基板用コネクタ１１のハウジング２０（端子収納用凹部２２）に対して直接挿入されることにより端子接続部分の絶縁が保たれつつ当該電線２がＥＣＵ１０の回路基板１２の回路に電気的に接続されるとともに、端子収納用凹部２２内の係止ランス２５等が電線側端子３を係止することによりこの接続状態が維持される。また、ケース３０に回路基板１２が収納された状態で、このケース３０のリテーナ部３２が、前記ハウジング２０の端子収納用凹部２２に挿入されて係止ランス２５により一次係止されている電線側端子３をさらに係止（二次係止）することにより、当該電線側端子３が多重に係止される。
【００５２】
つまり、この構成では、電線側端子３を受け入れる端子収納用凹部２２及び当該電線側端子３を係止する係止ランス２５をもつ基板用コネクタ１１のハウジング２０が前記電線側ハウジングの機能を兼ね備えるため、電線側端子を保持するための専用の電線側ハウジング（従来の電線側コネクタのハウジング）が不要である。また、電線側端子３を二次係止するためのリテーナ部３２がケース３０側に設けられ、このリテーナ部３２とケース本体部３１とが一体に形成されることにより、ケース３０が従来の端子係止具の機能を兼ね備えている。従って、従来のように、電線側端子がそれ専用の電線側ハウジングにより保持された状態でこの電線側ハウジングと基板用コネクタのハウジングとの嵌合により接続状態が維持され、さらに電線側ハウジングに独立した端子係止具が装着されることにより電線側端子が二重係止される構造に比べると、電線側ハウジングや独立した端子係止具が省略される分、部品数を減らしてＥＣＵ１０と他の電装品（外部回路）との接続をより安価な構成で達成することが可能となる。
【００５３】
なお、上記実施形態では、ケース３０は、リテーナ部３２が弾性変形可能な連結部３３を介してケース本体部３１に連結された構成となっているが、例えば連結部３３を省略し、ケース本体部３１（上部ケース構成部材３１ａ）にリテーナ部３２（本発明の第２係止部）を形成した構成としてもよい。この場合には、回路基板１２を下部ケース構成部材３１ｂに固定し、基板用コネクタ１１のハウジング２０に対してリテーナ部３２が仮装着位置にセットされるように上部ケース構成部材３１ａを下部ケース構成部材３１ｂに対して仮の合体状態とさせておき、基板用コネクタ１１の各端子収納用凹部２２に電線側端子３を挿着した後、最終的に上部ケース構成部材３１ａを下部ケース構成部材３１ｂに合体（本合体）させるとともにこれと同時にリテーナ部３２を仮装着位置から本装着位置に変位させて各電線側端子３の二次係止を達成させる。
【００５４】
また、実施形態の上記基板用コネクタ１１では、ハウジング２０に対して端子収納用凹部２２が上下二列に形成されているが、勿論一列でもよく、又は三列以上でもよい。なお、端子収納用凹部２２が一列の場合には、ケース３０のリテーナ部３２に前記貫通孔３７を設ける必要が無くなり、従って、連結部３３を省略してケース本体部３１（上部ケース構成部材３１ａ）にリテーナ部３２（本発明の第２係止部）を直接形成する上記構成によれば、以下のようにＥＣＵ１０の組立性がより向上する。つまり、リテーナ部３２に貫通孔３７が無い場合には、基板用コネクタ１１のハウジング２０に対してリテーナ部３２を仮装着位置にセットした状態で電線側端子３の挿着作業を行う必要がなく、従って、ＥＣＵ１０の組立作業では、まず、上部ケース構成部材３１ａを下部ケース構成部材３１ｂから完全に外した状態で電線側端子３の挿着作業を行い、その後、上部ケース構成部材３１ａを下部ケース構成部材３１ｂに合体させればよくなる。これにより基板用コネクタ１１を広く開放した状態で電線側端子３の挿着作業を行うことができ、組立性が良いものとなる。この場合、回路基板１２が固定された下部ケース構成部材３１ｂに対して下部ケース構成部材３１ｂを合体させることによりこの合体に伴い基板用コネクタ１１のハウジング２０にリテーナ部３２が装着（嵌合）されるように当該リテーナ部３２を形成しておけば、ＥＣＵ１０の組立性がより一層向上する。
【符号の説明】
【００５５】
１  ワイヤハーネス
２  電線
３  電線側端子
４  端子接続部
１０  ＥＣＵ（電子ユニット）
１１  基板用コネクタ
１２  回路基板
２０  ハウジング
２２  端子収容用凹部
２４  端子金具
２４ａ  タブ状接続部
２４ｂ  基板接続部
２５  係止ランス（第１係止部）
３０  基板ケース
３１  ケース本体部
３２  リテーナ部（第２係止部）
３３  連結部
３７  貫通孔
Ｃ１，Ｃ２，Ｃ３  コネクタ
【図１】
0005381601.tif 000002
【図２】
0005381601.tif 000003
【図３】
0005381601.tif 000004
【図４】
0005381601.tif 000005
【図５】
0005381601.tif 000006
【図６】
0005381601.tif 000007